(57)【特許請求の範囲】
【請求項１】
容器本体開口部に着脱自在に取り付けられる有底筒状の外栓と、該外栓の上部に上下方向にヒンジ回動可能に設けられて外栓の上部開口を開閉する内栓と、該内栓を前記外栓に閉状態に係止する係止部材とを有し、前記外栓は、その底壁に液通孔を穿設して、該底壁から上部開口の間を液流路とし、前記内栓は、前記液通孔を密閉する流入口シール部材と、前記外栓の上部開口近傍内周壁に密着する流出口シール部材とを備えていることを特徴とする液体容器の栓体。
【請求項２】
前記流入口シール部材は、前記内栓との間に空洞部を有し、該空洞部と外部とを連通したことを特徴とする請求項１記載の液体容器の栓体。
【発明の詳細な説明】
【０００１】
【発明の属する技術分野】
本発明は、魔法瓶等の液体容器の栓体に関する。
【０００２】
【従来の技術】
近年、水筒や魔法瓶等の液体を収納して携行される液体容器の栓体として、容器本体の開口部に栓体を装着したままで注液できるようにした、いわゆる、ワンタッチ栓と呼ばれるものが広く使用されている。このワンタッチ栓は、例えば、特開平９−２１５６１０号公報に開示されているように、内筒部と外筒部からなり、上部に配した流出口と下部に配した流入口とを連通した液流路を内筒部と外筒部の間に設けた栓本体と、該栓本体の上面に配されたプッシュボタンの下方への押圧により連動して上下動する弁棒と、該弁棒の先端に前記液流路の流入口を開閉するよう設けた弁体と、前記プッシュボタンと連結して、弁体の開閉と同期して前記液流路の流出口を開閉作動するフラップとで構成されている。このワンタッチ栓の止水は、弁体上面が前記外筒部の下端に設けたシール部材に密着して、液流路の流入口を閉塞することにより行われる。
【０００３】
ところが、上述の構成では、止水が液流路の１箇所で行われ、止水面積が広いため、外筒部の下端、シール部材、弁体等の部品の少しの歪みにより、止水部の当たりが不均一になることがある。また、容器内の液体を注いで栓を閉じたときに、液流路内に若干の液体が残り、この液体がフラップと流出口の隙間から漏れることがある。このため、特開平１１−１５５７４５号公報に示されるように、フラップ又は流出口のいずれかにシール部材を設け、流入口と流出口の２箇所で止水するものがある。
【０００４】
【発明が解決しようとする課題】
しかし、上述の構成では、機構が複雑でコストアップになるとともに、流入口を下側から、流出口を上側からそれぞれ止水するため、２箇所に均等に止水圧力をかける必要があり、その調整が困難である。また、開栓する際に弁体を下方へ押し下げる構造であるから、熱い湯等が収納されて液体容器内の圧力が外部よりも高い場合には、開栓操作に力を要する。
【０００５】
そこで本発明は、簡単な構造で液流路の入口及び出口の２箇所を止水した液体容器の栓体を提供することを目的としている。
【０００６】
【課題を解決するための手段】
上記した目的を達成するため、本発明の液体容器の栓体は、容器本体開口部に着脱自在に取り付けられる有底筒状の外栓と、該外栓の上部に上下方向にヒンジ回動可能に設けられて外栓の上部開口を開閉する内栓と、該内栓を前記外栓に閉状態に係止する係止部材とを有し、前記外栓は、その底壁に液通孔を穿設して、該底壁から上部開口の間を液流路とし、前記内栓は、前記液通孔を密閉する流入口シール部材と、前記外栓の上部開口近傍内周壁に密着する流出口シール部材とを備えていることを特徴としている。また、前記流入口シール部材と前記内栓との間に空洞部を設け、該空洞部と外部とを連通してもよい。
【０００７】
【発明の実施の形態】
以下、本発明を、図面に示す実施形態例に基づいて、さらに詳細に説明する。魔法瓶等の液体容器の栓体１は、容器本体２の開口部に着脱自在に取り付けられる外栓３と、該外栓３の上部に上下方向にヒンジ回動可能に設けられて外栓３の上部開口を開閉する内栓４と、該内栓４を前記外栓３に閉状態に係止する係止部材５とを有している。
【０００８】
前記外栓３は、有底筒状に形成された栓体部３１と、該栓体部３１を組み付けた容器本体２への取付部３２とからなり、栓体部３１を容器本体２の開口部内に挿入して、取付部３２内周に形成されたネジ部３３を容器本体２の首部外周のネジ部２１に螺合することにより容器本体２の開口部に取り付けられる。前記取付部３２の上部一側に、前記内栓４が水平方向の支軸６にて上下方向にヒンジ回動可能に取り付けられている。これにより、栓体１は、支軸６と径方向に対向する側が注ぎ口になる。
【０００９】
前記栓体部３１は、その底壁３４を支軸６側から注ぎ口側へ低くなるよう傾斜して形成され、該底壁３４の低い方に液通孔３５を、高い方に空気孔３６をそれぞれ穿設して、該底壁３４から上部開口の間を液流路３７としている。また、栓体部３１の下部外周には、外栓３を容器本体２に取り付けたときに、容器本体２の開口部内周壁下部の段部２２に密着するリング状のシール部材３８が備えられている。
【００１０】
前記内栓４は、有底筒状に形成された栓体部４１と、該栓体部４１の上部開口を覆う蓋部４２とからなり、栓体部４１は、胴部４３と底壁４４とを有し、胴部４３の外周にはシール部材取付用の溝４５が周設されている。底壁４４は、前記外栓３の底壁３４に対応して傾斜して形成されており、その下面には、前記液通孔３５と前記空気孔３６にそれぞれ対応する位置にシール部材取付用の突起４６，４７が形成されている。液通孔３５に対応する突起４６には空気抜き孔４６ａが穿設されている。
【００１１】
また、前記栓体部４１には、エラストマー等の弾性体からなるシール部材７が設けられている。このシール部材７は、前記内栓４を閉じたときに、前記液通孔３５を上方から密閉する流入口シール部７１と、前記空気孔３６を上方から密閉する空気孔シール部７２と、前記外栓３の上部開口近傍内周壁に密着する流出口シール部７３とを一体に形成したもので、流入口シール部７１を前記突起４６に、空気孔シール部７２を前記突起４７にそれぞれ外嵌し、舌片７４を前記溝４５に嵌合して栓体部４１に取り付けられる。流入口シール部７１は、突起４６との間に空洞部７５を形成して設けられる。なお、本実施形態例では一体型のシール部材を用いたが、流入口シール部７１、空気孔シール部７２及び流出口シール部７３はそれぞれ別部品でもよい。
【００１２】
蓋部４２には、外部へ開口する空気抜き孔４２ａが形成されている。また、蓋部４２の上面には、前記係止部材５が設けられている。この係止部材５は、支軸６から注ぎ口方向に往復動可能に設けられ、蓋部４２の側壁との間に縮設されたコイルスプリング５１により常時注ぎ口方向へ付勢され、係止爪５２を前記栓体部４１の注ぎ口側外周壁から突出させており、該係止爪５２を前記外栓３の取付部３２上部の注ぎ口側内周壁に形成した係合穴３９に係合して内栓４を閉状態に保持する。また、上面に隆起形成した操作部５３を前記コイルスプリング５１の付勢力に抗して支軸６側へ動かすことにより、係止爪５２が前記栓体部４１内に引き込まれて前記係合穴３９との係合を解除する。支軸６には、内栓４を常時開方向（上方）に付勢するトーションスプリング６１が設けられ、このトーションスプリング６１の付勢力によって内栓４は上方に回動して開く。この内栓４は、図１に示される閉状態から、図２に示されるように、支軸６を中心として約１８０度開き、容器本体２を傾けて液体を注ぐ際には、トーションスプリング６１の付勢力によって内栓４の閉方向への回動が規制され開状態を維持する。
【００１３】
このように、栓体１は、内栓４の上下方向の回動によって外栓３の上部開口を開閉する簡単な構成であり、また、外栓３の上部開口を閉じる際に、流入口シール部７１にて液通孔３５を、空気孔シール部７２にて空気孔３６をそれぞれ上方から密閉するとともに、流出口シール部７３が液流路３７の出口となる外栓３の上部開口近傍内周壁に密着するから、液流路３７の入口及び出口を止水できる。さらに、液流路３７の入口及び出口を止水して気密構造とするため、液流路３７の入口及び出口間が断熱層となり、保温性能が向上する。しかも、液通孔３５を密閉する流入口シール部７１が空洞部７５を有し、この空洞部７５が突起４６の空気抜き孔４６ａと蓋部４２の空気抜き孔４２ａとを介して外部と連通しているので、外栓３の上部開口を閉じる際の圧力調整が容易である。また、容器本体２内の圧力が外部よりも高い場合でも、空洞部７５が容易に変形して液通孔３５を完全に密閉することができる。
【００１４】
【発明の効果】
以上説明したように、本発明の液体容器の栓体は、容器本体開口部に着脱自在に取り付けられる有底筒状の外栓と、外栓の上部に上下方向にヒンジ回動可能に設けられて外栓の上部開口を開閉する内栓と、内栓を外栓に閉状態に係止する係止部材とを有し、外栓の底壁に液通孔を穿設して底壁から上部開口の間を液流路とし、内栓に、液通孔を密閉する流入口シール部材と、外栓の上部開口近傍内周壁に密着する流出口シール部材とを備えたので、内栓を上下方向に回動して外栓の上部開口を開閉する簡単な構成で液流路の入口及び出口を止水できる。また、液流路の入口及び出口の止水により、液流路の入口及び出口間が断熱層となり、保温性能が向上する。さらに、流入口シール部材と内部栓との間に設けた空洞部を外部と連通させることにより、外栓の上部開口を閉じる際の圧力調整が容易であるとともに、容器本体内の圧力が外部よりも高い場合でも、空洞部が容易に変形して液通孔を完全に密閉することができる。
【図面の簡単な説明】
【図１】本発明の栓体を閉じた状態の断面図
【図２】同じく開いた状態の断面図
【図３】同じく開いた状態の平面図
【符号の説明】
１…栓体、２…容器本体、３…外栓、３１…栓体部、３２…取付部、３４…底壁、３５…液通孔、３６…空気孔、３７…液流路、４…内栓、４１…栓体部、４３…胴部、４４…底壁、５…係止部材、６…支軸、７…シール部材、７１…流入口シール部、７３…流出口シール部、７５…空洞部
【図１】
0003620038.tif 000002
【図２】
0003620038.tif 000003
【図３】
0003620038.tif 000004